(57)【要約】【課題】２つの拡張ユニットの屋内側及び屋外側に形成された各空間をそれぞれ好適に利用できる建物を提供する。【解決手段】建物本体１５の外面側には、屋外側に突出した状態で下側拡張ユニット３０ａと上側拡張ユニット３０ｂとが設けられている。これら拡張ユニット３０ａ,３０ｂは水平方向にずれた状態で上下に連続して並べられており、拡張ユニット３０ａ,３０ｂの各内部空間は上下に連通されている。拡張ユニット３０ａ,３０ｂが連続するユニット端面には、それら拡張ユニット３０ａ,３０ｂが重複している重複部分３３と重複していない非重複部分３４ａ,３４ｂとがある。非重複部分３４ａ,３４ｂのうち第１非重複部分３４ａ側には下側入隅空間３７が設けられており、第２非重複部分３４ｂ側には上側入隅空間３８が設けられている。【選択図】図１
2011236712.tif 000002
【特許請求の範囲】
【請求項１】
相対的に上側及び下側となるように上下又は左右に連続して並べられた２つの拡張ユニットが建物本体の外面側に一体的に取り付けられている建物において、
前記２つの拡張ユニットは、それら拡張ユニット同士が連続するユニット端面において互いに重複する重複部分と重複しない非重複部分とを有し、
前記重複部分においては両拡張ユニット内の屋内側空間が連通され、建物屋外側には前記非重複部分と建物外面とにより入隅空間が形成されていることを特徴とする建物。
【請求項２】
前記２つの拡張ユニットは、前記ユニット端面において前記重複部分を挟んで両側に前記非重複部分がそれぞれ形成されるように配置されていることを特徴とする請求項１に記載の建物。
【請求項３】
前記２つの拡張ユニットは、それら拡張ユニットのうち一方の上方と他方の下方とのそれぞれに前記入隅空間が形成されるように配置されていることを特徴とする請求項２に記載の建物。
【請求項４】
前記拡張ユニットは、複数の柱と、該柱の上端部及び下端部に接続された天井大梁及び床大梁とを躯体として有し、天井部分には天井小梁が所定間隔で設けられるとともに、床部分には床小梁が所定間隔で設けられており、
前記２つの拡張ユニットは上下に並べられており、上下のうち上側となる上側拡張ユニットの床部には前記床小梁が設置されていない床小梁非設置部分が設けられており、下側となる下側拡張ユニットの天井部には前記天井小梁が設置されていない天井小梁非設置部分が設けられており、
前記２つの拡張ユニットは、前記上側拡張ユニットの前記床小梁非設置部分と前記下側拡張ユニットの前記天井小梁非設置部分とが前記重複部分において上下方向に同一位置となるように配置されていることを特徴とする請求項１乃至３のいずれか１項に記載の建物。
【請求項５】
前記建物本体は、複数の柱と該柱を連結する大梁とを有してなる建物ユニットを複数組み合わせて構成されており、
前記拡張ユニットは、前記建物ユニットの前記柱及び前記大梁の少なくとも一方により片持ち支持された状態で該建物ユニットと連結されていることを特徴とする請求項１乃至４のいずれか１項に記載の建物。
【請求項６】
前記建物本体は、複数の建物ユニット組み合わせて構成されており、
前記複数の建物ユニットには、上下に隣り合った上階建物ユニット及び下階建物ユニットが含まれており、
前記２つの拡張ユニットのうち上側の拡張ユニットと前記上階建物ユニットとは、互いの内部空間を連通させた状態で連結されており、
前記２つの拡張ユニットのうち下側の拡張ユニットと前記下階建物ユニットとは、互いの内部空間を連通させた状態で連結されていることを特徴とする請求項１乃至５のいずれか１項に記載の建物。
【発明の詳細な説明】
【技術分野】
【０００１】
本発明は、建物本体の外面側に拡張ユニットが設けられた建物に関するものである。
【背景技術】
【０００２】
複数階建ての建物には、上下階を連通する吹抜空間等の連通空間が設けられていることがある。例えば特許文献１に記載されているユニット式建物においては、建物本体の側面に上階拡張ユニットと下階拡張ユニットとが上下に並べて突設され、それら上階拡張ユニット及び下階拡張ユニットの各内部空間が互いに連通されている。この構成によれば、各内部空間を利用して例えば上下階を行き来可能とする階段を設置することができる。
【０００３】
この構成において、上階拡張ユニット及び下階拡張ユニットは、四隅に立設された柱と、柱の上端間及び下端間に架け渡された梁とにより直方体状にそれぞれ形成されている。上階拡張ユニットと下階拡張ユニットとは、同じ大きさを有し、上下に完全同一となる位置に設けられている。また、上階拡張ユニット及び下階拡張ユニットにおいては、床面開口部及び天井面開口部を通じて上下階にまたがる連通空間が形成されている。
【先行技術文献】
【特許文献】
【０００４】
【特許文献１】特開２００３−７４１２２号公報
【発明の概要】
【発明が解決しようとする課題】
【０００５】
しかしながら、上記特許文献１は、屋内側空間の有効利用が考慮されたものであり、上階拡張ユニット及び下階拡張ユニットは、同じ大きさであって且つ同じ位置で上下に並べられているにすぎない。この場合、建物本体の外側面に拡張ユニットが設けられた建物に関して、建物外側も含めて建物全体でのスペースの有効利用を考えると改善の余地がある。
【０００６】
本発明は、２つの拡張ユニットの屋内側及び屋外側に形成された各空間をそれぞれ好適に利用できる建物を提供することを主たる目的とする。
【課題を解決するための手段】
【０００７】
上記課題を解決するために、第１の発明の建物は、相対的に上側及び下側となるように上下又は左右に連続して並べられた２つの拡張ユニットが建物本体の外面側に一体的に取り付けられている建物において、前記２つの拡張ユニットは、それら拡張ユニット同士が連続するユニット端面において互いに重複する重複部分と重複しない非重複部分とを有し、前記重複部分においては両拡張ユニット内の屋内側空間が連通され、建物屋外側には前記非重複部分と建物外面とにより入隅空間が形成されていることを特徴とする。
【０００８】
第１の発明によれば、２つの拡張ユニットが連続するユニット端面において、重複部分では２つの拡張ユニットの各屋内側空間が連通されており、非重複部分での屋外側に入隅空間が形成されている。この場合、２つの拡張ユニットの屋内側空間を上下又は左右に延びる空間として利用することに加え、２つの拡張ユニットにより形成される入隅空間を建物に付属する屋外空間として利用することができる。したがって、２つの拡張ユニットの屋内側及び屋外側に形成された各空間をそれぞれ好適に利用することができる。
【０００９】
第２の発明では、前記２つの拡張ユニットは、前記ユニット端面において前記重複部分を挟んで両側に前記非重複部分がそれぞれ形成されるように配置されている。
【００１０】
第２の発明によれば、重複部分を挟んで両側に非重複部分がそれぞれ形成されている。この場合、入隅空間は重複部分を挟んで両側にそれぞれ形成されることになるため、２つの入隅空間を屋外空間として利用することができる。したがって、入隅空間を利用する際の自由度を高めることができる。
【００１１】
第３の発明では、前記２つの拡張ユニットは、それら拡張ユニットのうち一方の上方と他方の下方とのそれぞれに前記入隅空間が形成されるように配置されている。
【００１２】
第３の発明によれば、２つの拡張ユニットが連続するユニット端面において重複部分の上側及び下側のそれぞれに入隅空間が形成されているため、それら入隅空間のうち一方を上階側の屋外空間として利用しつつ、他方を下階側の屋外空間として利用することができる。したがって、入隅空間を利用する際の自由度をより一層高めることができる。
【００１３】
第４の発明では、前記拡張ユニットは、複数の柱と、該柱の上端部及び下端部に接続された天井大梁及び床大梁とを躯体として有し、天井部分には天井小梁が所定間隔で設けられるとともに、床部分には床小梁が所定間隔で設けられており、前記２つの拡張ユニットは上下に並べられており、上下のうち上側となる上側拡張ユニットの床部には前記床小梁が設置されていない床小梁非設置部分が設けられており、下側となる下側拡張ユニットの天井部には前記天井小梁が設置されていない天井小梁非設置部分が設けられており、前記２つの拡張ユニットは、前記上側拡張ユニットの前記床小梁非設置部分と前記下側拡張ユニットの前記天井小梁非設置部分とが前記重複部分において上下方向に同一位置となるように配置されている。
【００１４】
第４の発明によれば、２つの拡張ユニットが連続するユニット端面において、上側拡張ユニットの屋内側空間と下側拡張ユニットの屋内側空間とが床小梁非設置部分及び天井小梁非設置部分を通じて通気可能に接続されている。この場合、重複部分において床小梁や天井小梁により制限されることなく通気部を形成することができる。したがって、上下に並べられた２つの拡張ユニットにより屋内側空間と入隅空間とが形成される構成において、入隅空間を好適に利用しつつ、屋内側空間の通気を好適に行わせることができる。
【００１５】
第５の発明では、前記建物本体は、複数の柱と該柱を連結する大梁とを有してなる建物ユニットを複数組み合わせて構成されており、前記拡張ユニットは、前記建物ユニットの前記柱及び前記大梁の少なくとも一方により片持ち支持された状態で該建物ユニットと連結されている。
【００１６】
第５の発明によれば、２つの拡張ユニットが建物ユニットによりそれぞれ片持ち支持されている。この場合、２つの拡張ユニットの構造上の支持強度をそれぞれ確保しつつ、それら拡張ユニットを水平方向や上下方向など任意の方向にずらして配置することが可能となる。
【００１７】
第６の発明では、前記建物本体は、複数の建物ユニット組み合わせて構成されており、前記複数の建物ユニットには、上下に隣り合った上階建物ユニット及び下階建物ユニットが含まれており、前記２つの拡張ユニットのうち上側の拡張ユニットと前記上階建物ユニットとは、互いの内部空間を連通させた状態で連結されており、前記２つの拡張ユニットのうち下側の拡張ユニットと前記下階建物ユニットとは、互いの内部空間を連通させた状態で連結されている。
【００１８】
第６の発明によれば、２つの拡張ユニットのうち下側の拡張ユニットが下階に設けられ、上側の拡張ユニットが上階に設けられている。このため、それら２つの拡張ユニットの屋内側において上下階に跨るように形成された連通空間を吹抜空間などとして利用することができ、さらに、屋外において下側の拡張ユニットの上方や上側の拡張ユニットの下方に形成された入隅空間を下階部分や上階部分として利用することができる。
【図面の簡単な説明】
【００１９】
【図１】本実施形態におけるユニット式建物の概要を示す斜視図。
【図２】建物ユニットの骨格を示す斜視図。
【図３】拡張ユニットの骨格を示す斜視図。
【図４】拡張ユニットの取り付け位置について説明するための斜視図。
【図５】建物における拡張ユニット周辺の構成を示す平面図。
【図６】別の建物の構成を示す斜視図。
【図７】別の建物において拡張ユニットの配置を示す図。
【発明を実施するための形態】
【００２０】
以下、本発明を具体化した一実施形態について図面を参照しつつ説明する。本実施形態では、本発明を鉄骨ラーメンユニット工法により構築された２階建てユニット式建物にて具体化している。図１はユニット式建物の概要を示す斜視図、図２は建物ユニットの骨格を示す斜視図である。
【００２１】
図１に示すように、住宅等の建物１０は、下階部分としての一階部分１１と、上階部分としての二階部分１２と、屋根１３とを有している。一階部分１１は基礎の上に設けられ、二階部分１２は一階部分１１の上に設けられ、屋根１３は二階部分１２の上に設けられている。建物１０は、複数の建物ユニット２０により形成された建物本体１５を有している。建物本体１５においては複数の建物ユニット２０が一体的に結合されており、それら建物ユニット２０により一階部分１１及び二階部分１２が構成されている。建物ユニット２０は略直方体形状に形成されており、壁部等により形成された周面を有している。
【００２２】
図２に示すように、建物ユニット２０においては、その四隅に柱２１が配され、各柱２１の上端部及び下端部がそれぞれ４本の天井大梁２２、床大梁２３により連結されている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００２３】
建物ユニット２０の長辺部（桁面）に沿って延び且つ相対する天井大梁２２の間には、所定間隔で複数の天井小梁２５が架け渡されている。同じく建物ユニット２０の長辺部に沿って延び且つ相対する床大梁２３の間には、所定間隔で複数の床小梁２６が架け渡されている。天井小梁２５と床小梁２６とはそれぞれ同間隔でかつ各々上下に対応する位置に水平に設けられている。
【００２４】
建物ユニット２０においては、天井小梁２５に対して天井面材が取り付けられ、それら天井小梁２５や天井面材により天井部が形成されており、床小梁２６に対して床面材が取り付けられ、それら床小梁２６や床面材により床部が形成されている。また、柱２１に対して壁材が取り付けられ、それら柱２１や壁材により壁部が形成されている。なお、建物ユニット２０においては、柱２１や天井大梁２２、床大梁２３を含んだ骨格により躯体が構成されている。
【００２５】
図１の説明に戻り、建物本体１５の外面側には、屋外側に突出した状態で２つの拡張ユニット３０が設けられている。拡張ユニット３０は、略直方体形状に形成されており、壁部等により形成された周面を有している。２つの拡張ユニット３０は水平方向にずれた状態で上下に連続して並べられており、それら拡張ユニット３０のうち下側の拡張ユニット３０は一階部分１１に設けられ、上側の拡張ユニット３０は二階部分１２に設けられている。下側の拡張ユニット３０は、一階部分１１の複数の建物ユニット２０のうち１つの建物ユニット２０に対して結合されており、上側の拡張ユニット３０は二階部分１２の複数の建物ユニット２０のうち１つの建物ユニットに対して結合されている。
【００２６】
以下、２つの拡張ユニット３０のうち下側の拡張ユニット３０を下側拡張ユニット３０ａと称し、上側の拡張ユニット３０を上側拡張ユニット３０ｂと称する。また、建物本体１５において、下側拡張ユニット３０ａと結合されている建物ユニット２０を下側建物ユニット２０ａと称し、上側拡張ユニット３０ｂと結合されている建物ユニット２０を上側建物ユニット２０ｂと称する。
【００２７】
下側拡張ユニット３０ａと上側拡張ユニット３０ｂとは、建物本体１５の一側面に沿って水平方向にずれている。その水平方向のうち一方においては下側拡張ユニット３０ａが上側拡張ユニット３０ｂより側方へはみ出しており、他方においては上側拡張ユニット３０ｂが下側拡張ユニット３０ａより側方へはみ出している。この場合、下側拡張ユニット３０ａと上側拡張ユニット３０ｂとが連続するユニット端面においては、それら拡張ユニット３０ａ,３０ｂが部分的に重複している。
【００２８】
ユニット端面には、鉛直方向から見て下側拡張ユニット３０ａ及び上側拡張ユニット３０ｂの両方が存在している重複部分３３と、それら拡張ユニット３０ａ,３０ｂのうち一方が存在している非重複部分３４ａ,３４ｂとが含まれている。非重複部分３４ａ,３４ｂのうち第１非重複部分３４ａには拡張ユニット３０ａ,３０ｂのうち上側拡張ユニット３０ｂが存在し、第２非重複部分３４ｂには下側拡張ユニット３０ａが存在している。
【００２９】
下側拡張ユニット３０ａと上側拡張ユニット３０ｂとの境界部は、下側拡張ユニット３０ａと上側拡張ユニット３０ｂとの境界部に対して同じ高さレベルになっており、その高さレベルは一階部分１１と二階部分１２との境界線の高さレベルとなっている。この場合、下側拡張ユニット３０ａ及び上側拡張ユニット３０ｂが連続するユニット端面は、一階部分１１と二階部分１２との境界線のうちそれら拡張ユニット３０ａ,３０ｂの少なくとも一方が存在している部分となっている。
【００３０】
建物１０の非重複部分３４ａ,３４ｂにおいては、屋内側に向けて凹んだ入隅が設けられており、その入隅の周辺に入隅空間３７,３８が形成されている。入隅空間３７,３８のうち下側入隅空間３７は第１非重複部分３４ａ側にあり、下側建物ユニット２０ａの外壁面と、下側拡張ユニット３０ａの短辺側外壁面と、上側拡張ユニット３０ｂの下面とにより形成されている。また、入隅空間３７,３８のうち上側入隅空間３８は第２非重複部分３４ｂ側にあり、上側建物ユニット２０ｂの外壁面と、上側拡張ユニット３０ｂの短辺側外壁面と、下側拡張ユニット３０ａの上面とにより形成されている。
【００３１】
ここで、拡張ユニット３０ａ,３０ｂの構成について図３を参照しつつ説明する。図３は、拡張ユニット３０ａ,３０ｂの骨格を示す斜視図であり、（ａ）に上側拡張ユニット３０ｂを示し、（ｂ）に下側拡張ユニット３０ａを示す。
【００３２】
図３（ａ）,（ｂ）に示すように、下側拡張ユニット３０ａ及び上側拡張ユニット３０ｂは、建物ユニット２０と同様に直方体状の骨格をそれぞれ有している。具体的には、拡張ユニット３０ａ,３０ｂは、四隅に配置された柱４１と、隣り合う柱４１の上端部を連結する天井大梁４２と、隣り合う柱４１の下端部を連結する床大梁４３とを有しており、拡張ユニット３０ａ,３０ｂにおいて直方体状の骨格は、柱４１、天井大梁４２、床大梁４３により形成されている。柱４１は四角筒状の角形鋼よりなる。天井大梁４２は断面子字状の溝形鋼よりなり、それぞれの溝の開放部を向き合わせて配置されている。同様に、床大梁４３は断面コ字状の溝形鋼よりなり、それぞれの溝の開放部を向き合わせて配置されている。
【００３３】
拡張ユニット３０ａ,３０ｂは、水平方向に延び且つ互いに対向する一対の天井大梁４２を連結する天井小梁４５と、水平方向に延び且つ互いに対向する一対の床大梁４３を連結する床小梁４６とを有している。天井小梁４５は、拡張ユニット３０ａ,３０ｂの短辺部（妻面）の天井大梁４２と平行に延びており、長辺部（桁面）の相対する天井大梁４２の間に所定間隔で複数配置されている。この場合、天井大梁４２の間に天井小梁４５が架け渡された状態となっている。同様に、床小梁４６は、拡張ユニット３０の短辺部の床大梁４３と平行に延びており、長辺部の相対する床大梁４３の間に所定間隔で複数配置されている。この場合、床大梁４３の間に床小梁４６が架け渡された状態となっている。
【００３４】
拡張ユニット３０ａ,３０ｂにおいては、天井小梁４５に対して天井面材が取り付けられ、天井小梁４５や天井面材を含んで天井部が形成されており、床小梁４６に対して床面材が取り付けられ、床小梁４６や床面材を含んで床部が形成されている。また、柱４１に対して壁材が取り付けられ、それら柱４１や壁材により壁部が形成されている。なお、拡張ユニット３０ａ,３０ｂにおいては、柱４１や天井大梁４２、床大梁４３を含んだ骨格により躯体が構成されている。
【００３５】
図３（ｂ）に示すように、下側拡張ユニット３０ａの天井部には天井小梁非設置部分５１が部分的に設けられている。天井小梁非設置部分５１は、天井小梁４５が設置されていない部分となっており、重複部分３３（上側拡張ユニット３０ｂの床部と重なる部分）に相当する部分に形成されている。下側拡張ユニット３０ａの天井小梁非設置部分５１においては、天井面材に開口部が形成されており、天井部が上下に貫通されている。
【００３６】
図３（ａ）に示すように、上側拡張ユニット３０ｂの床部には床小梁非設置部分５２が設けられている。床小梁非設置部分５２は、床小梁４６が設置されていない部分となっており、重複部分３３（下側拡張ユニット３０ａの天井部と重なる部分）に相当する部分に形成されている。上側拡張ユニット３０ｂの床小梁非設置部分５２においては、床面材に開口部が形成されており、床部が上下に貫通されている。
【００３７】
また、一階部分１１において、下側拡張ユニット３０ａの長手方向の大梁長さは下側建物ユニット２０ａの長手方向の大梁長さより短くなっており、二階部分１２において、上側拡張ユニット３０ｂの長手方向の大梁長さは下側拡張ユニット３０ａの長手方向の大梁長さより短くなっている。なお、下側拡張ユニット３０ａと上側拡張ユニット３０ｂとは大きさ及び形状が同じとなっており、それぞれの長手方向の大梁長さや、短手方向の大梁長さ、柱高さが互いに同じになっている。
【００３８】
拡張ユニット３０ａ，３０ｂは、その拡張ユニット３０ａ，３０ｂと建物ユニット２０ａ，２０ｂとが連続したユニット端面において建物ユニット２０ａ，２０ｂに連結されている。つまり、拡張ユニット３０ａ，３０ｂは建物ユニット２０ａ，２０ｂにより片持ち支持されている。この場合、拡張ユニット３０ａ,３０ｂにおいて、建物ユニット２０ａ,２０ｂと対向する２本の柱４１のうち一方は建物ユニット２０ａ,２０ｂの柱２１に連結され、他方は天井大梁２２及び床大梁２３の中間位置に連結されている。拡張ユニット３０ａ,３０ａの柱４１と建物ユニット２０ａ,２０ｂの柱２１とは、ドッキングプレート等の連結部材を用いて連結されている。
【００３９】
なお、建物ユニット２０ａ,２０ｂには、拡張ユニット３０ａ,３０ｂと対向する部分において柱２１の間に補助柱が設けられていてもよい。この場合、建物ユニット２０ａ,２０ｂにおいて補助柱は、拡張ユニット３０ａ,３０ｂの柱４１と連結されていない方の柱４１と隣り合う位置に立設されており、その柱４１と連結部材を用いて連結されている。これにより、建物ユニット２０ａ,２０ｂにおける拡張ユニット３０ａ,３０ｂの支持強度が高められている。
【００４０】
建物ユニット２０ａ，２０ｂ及び拡張ユニット３０ａ，３０ｂは工場で製造され、トラック等の搬送手段により建築現場に搬送される。そして、建築現場において、他の建物ユニット２０とともに設置される。ここでは、建物ユニット２０ａ,２０ｂ及び拡張ユニット３０ａ,３０ｂの設置手順について、図４を参照しつつ説明する。図４は、建物ユニット２０ａ,２０ｂ及び拡張ユニット３０ａ,３０ｂを個別に示す斜視図である。
【００４１】
図４に示すように、建築現場において下側建物ユニット２０ａが設置された状態において、下側建物ユニット２０ａの上に上側建物ユニット２０ｂが載置される。この場合、下側建物ユニット２０ａの柱２１の上に上側建物ユニット２０ｂの柱２１が載置され、それら柱２１が上下で連結されることにより下側建物ユニット２０ａと上側建物ユニット２０ｂとが結合される。
【００４２】
下側拡張ユニット３０ａは、下側建物ユニット２０ａの側面の取り付け位置（図のハッチング部分）に下側拡張ユニット３０ａの側面が対向するように下側建物ユニット２０ａに対して設置される。この場合、下側拡張ユニット３０ａと下側建物ユニット２０ａとは躯体同士が連結されることにより、それら下側拡張ユニット３０ａが下側建物ユニット２０ａに結合される。
【００４３】
同様に、上側拡張ユニット３０ｂは、上側建物ユニット２０ｂの側面の取り付け位置（図のハッチング部分）に上側拡張ユニット３０ｂの側面が対向するように上側建物ユニット２０ｂに対して設置される。この場合、上側拡張ユニット３０ｂと上側建物ユニット２０ｂとは躯体同士が連結されることにより、それら上側拡張ユニット３０ｂが上側建物ユニット２０ｂに結合される。
【００４４】
次に、建物ユニット２０ａ,２０ｂ及び拡張ユニット３０ａ,３０ｂのそれぞれの屋内側空間と、下側入隅空間３７と、上側入隅空間３８の使用例について、図５,図６を参照しつつ説明する。図５は建物１０における拡張ユニット３０ａ,３０ｂ周辺の構成を示す平面図である。図５においては、（ａ）に二階部分１２の平面図を示し、（ｂ）に一階部分１１の平面図を示す。
【００４５】
図５（ｂ）に示すように、建物１０の一階部分１１には、キッチン６１、リビング６２、洗面所６３が設けられている。リビング６２と洗面所６３とを仕切る仕切壁６５には出入口６６が形成されており、洗面所６３には洗濯機６４が設置されている。外壁６８には、リビング６２を屋外に開放するリビング窓部６９が設けられており、リビング６２の天井部には二階部分１２に通じる連通部７１が設けられている。
【００４６】
リビング６２は、下側拡張ユニット３０ａの内部空間と下側建物ユニット２０ａの内部空間とに跨るように配置されており、キッチン６１は部分的に下側建物ユニット２０ａの内部空間に配置されている。リビング窓部６９は下側拡張ユニット３０ａの壁部に形成されている。連通部７１は下側拡張ユニット３０ａの天井小梁非設置部分５１に形成されており、その天井小梁非設置部分５１を介して二階部分１２に通じている。
【００４７】
リビング窓部６９には採光可能なガラス戸が設けられており、下側拡張ユニット３０ａの内部空間（リビング６２）にはガラス戸を通じて太陽光が取り込まれる。また、ガラス戸を開放させることにより太陽光に加えて外気が取り込まれる。
【００４８】
屋外空間においてキッチン６１の近傍には、電気自動車等の車両を対象として電力供給を行う給電装置７３が設けられている。給電装置７３の設置位置は、下側拡張ユニット３０ａの側方にある下側入隅空間３７に含まれており、下側入隅空間３７においては下側拡張ユニット３０ａが庇の役割を果たしている。この場合、下側入隅空間３７は駐車スペースに含まれており、その駐車スペースに駐車された車両に対して給電装置７３から給電を行うことによりその車両の車載バッテリー等の充電を行うことが可能となっている。さらに、下側入隅空間３７は周囲の四方向のうち二方向に壁面が配置されている。この場合、下側入隅空間３７は外壁面により形成された凹部となっているため、利用に際しての自由度が高められている。
【００４９】
また、下側入隅空間３７の庇部（上側拡張ユニット３０ｂの床部）の下面には照明器具が取り付けられており、照明器具が点灯されることにより下側入隅空間３７が明るくされる。
【００５０】
図５（ａ）に示すように、建物１０の二階部分１２には、寝室８１、子供部屋８２、屋外空間としてのバルコニー８３が設けられている。外壁６８には、子供部屋８２をバルコニー８３側に開放する子供部屋窓部８５と、寝室８１を屋外に開放する寝室窓部８６が設けられている。一階部分１１に通じる連通部７１は寝室８１の床部に設けられており、連通部７１により一階部分１１のリビング６２と二階部分１２の寝室８１とが連通されている。したがって、リビング６２の一部と寝室８１の一部とは一階部分１１と二階部分１２とに跨る吹抜空間となっている。
【００５１】
寝室８１は、上側拡張ユニット３０ｂの内部空間と上側建物ユニット２０ｂの内部空間とに跨るように配置されており、子供部屋８２は部分的に上側建物ユニット２０ｂの内部空間に配置されている。寝室窓部８６は上側拡張ユニット３０ｂの壁部に形成されている。
【００５２】
バルコニー８３は上側拡張ユニット３０ｂの側方にある上側入隅空間３８に設けられており、バルコニー８３の床部は下側拡張ユニット３０ａの天井部を含んで形成されている。また、バルコニー８３に通じる子供部屋窓部８５は、上側建物ユニット２０ｂの側面のうち上側入隅空間３８を形成する部分に形成されている。さらに、上側入隅空間３８（バルコニー８３）は、周囲の四方向のうち二方向に壁面が配置されている。この場合、バルコニー８３は外壁面により形成された凹部となっているため、利用に際しての自由度が高められている。
【００５３】
寝室８１には採光可能なガラス戸が設けられており、上側拡張ユニット３０ｂの内部空間（寝室８１）にはガラス戸を通じて太陽光が取り込まれる。また、ガラス戸を開放させることにより太陽光に加えて外気が取り込まれる。
【００５４】
上記のような一階部分１１及び二階部分１２を有する建物１０においては、連通部７１を通じて一階部分１１のリビング６２と二階部分１２の寝室８１との通気が行われる。また、リビング６２において連通部７１の下方が洗濯物収集場所とされていれば、リビング６２から洗濯物収集場所に洗濯物を入れるのはもちろんのこと、連通部７１をランドリーシューターとして利用することにより二階部分１２の寝室８１から連通部７１を通じて洗濯物収集場所に洗濯物を入れることが可能となる。したがって、洗濯機６４のある洗面所６３に洗濯物を移動させることの容易化を図ることができる。
【００５５】
以上詳述した本実施形態によれば、以下の優れた効果が得られる。
【００５６】
建物本体１５の外面側に取り付けられた下側拡張ユニット３０ａと上側拡張ユニット３０ｂとが水平方向にずれた状態で上下に並べられており、下側拡張ユニット３０ａの上方には上側入隅空間３８が形成され、上側拡張ユニット３０ｂの下方には下側入隅空間３７が形成されている。このため、第１非重複部分３４ａにおいて上側拡張ユニット３０ｂの下面を庇とすることにより、下側入隅空間３７を一階部分１１において車両の充電用スペースなどに利用することができる。また、第２非重複部分３４ｂにおいて下側拡張ユニット３０ａの上面を屋外床面とすることにより、上側入隅空間３８を二階部分１２においてバルコニー８３などに利用することができる。さらに、下側拡張ユニット３０ａと上側拡張ユニット３０ｂとは連通部７１を介して上下に連通されているため、それぞれの屋内側空間を一階部分１１と二階部分１２とに跨る吹抜空間として利用することができる。以上の結果、下側拡張ユニット３０ａ及び上側拡張ユニット３０ｂの屋外側及び屋外側に形成された各空間をそれぞれ好適に利用することができる。
【００５７】
一階部分１１と二階部分１２との境界部３２において、重複部分３３を挟んで両側に第１非重複部分３４ａと第２非重複部分３４ｂとが設けられている。この場合、建物１０内の吹抜空間（連通部７１の上下空間）を挟んで両側に下側入隅空間３７と上側入隅空間３８といった建物付属の屋外空間を２つ形成することができる。また、それら入隅空間３７,３８は一階部分１１と二階部分１２とにそれぞれ配置されているため、入隅空間３７，３８を利用する際の自由度を高めることができる。
【００５８】
さらに、下側入隅空間３７と上側入隅空間３８とは上下方向において斜めに配置されており、下側入隅空間３７の上方には二階部分１２の屋内空間が形成され、上側入隅空間３８の下方には一階部分１１の屋内空間が形成されている。この場合、例えば下側入隅空間３７と上側入隅空間３８とが水平方向にずれることなく上下に並べられている構成とは異なり、それら入隅空間３７，３８を上下に仕切るためだけにバルコニー床部等を設けるという必要がない。したがって、拡張ユニット３０ａ，３０ｂによる屋内空間の確保に伴って入隅空間３７，３８を確保することができる。
【００５９】
拡張ユニット３０ａ,３０ｂにおいて一階部分１１と二階部分１２とを上下に連通する連通部７１は、下側拡張ユニット３０ａの天井小梁非設置部分５１と上側拡張ユニット３０ｂの床小梁非設置部分５２とにより形成されている。この場合、天井小梁非設置部分５１及び床小梁非設置部分５２には天井小梁４５及び床小梁４６が設けられていないため、天井小梁４５や床小梁４６がある部分が連通部７１とされた構成とは異なり、天井小梁４５や床小梁４６に制限されることなく連通部７１を形成することができる。したがって、連通部７１を通じて一階部分１１と二階部分１２との通気を好適に行わせることができる。
【００６０】
拡張ユニット３０ａ,３０ｂの骨格と建物ユニット２０ａ,２０ｂの骨格とが連結されることにより、拡張ユニット３０ａ,３０ｂが建物ユニット２０ａ,２０ｂにより片持ち支持されている。このため、拡張ユニット３０ａ，３０ｂの構造上の支持強度をそれぞれ確保しつつ、それら拡張ユニット３０ａ，３０ｂを相対的に水平方向にずらして配置することが可能となる。
【００６１】
また、例えば上側拡張ユニット３０ｂが下側拡張ユニット３０ａにより下方から支持されている構成とは異なり、上下に並んだ上側拡張ユニット３０ｂが下側拡張ユニット３０ａに対して水平方向にずれていても、上側拡張ユニット３０ｂの支持強度が低下することを抑制できる。さらに、この場合、下側拡張ユニット３０ａが基礎により下方から支持されていても居なくても下側拡張ユニット３０ａの支持強度を確保することができる。したがって、下側拡張ユニット３０ａを好適に支持することができる。
【００６２】
下側拡張ユニット３０ａは一階部分１１に含まれ、上側拡張ユニット３０ｂは二階部分１２に含まれている。このため、下側拡張ユニット３０ａの上方に形成された上側入隅空間３８を二階部分１２に付属した屋外空間として利用することができ、上側拡張ユニット３０ｂの下方に形成された下側入隅空間３７を一階部分１１に付属した屋外空間として利用することができる。
【００６３】
一階部分１１において下側拡張ユニット３０ａの内部空間と下側建物ユニット２０ａの内部空間とが連通され、二階部分１２において上側拡張ユニット３０ｂの内部空間と上側建物ユニット２０ｂの内部空間とが連通され、さらに下側拡張ユニット３０ａと上側拡張ユニット３０ｂとが上下に連通されている。したがって、拡張ユニット３０ａ,３０ｂを通じて下側建物ユニット２０ａの内部空間と上側建物ユニット２０ｂの内部空間との通気を行うことができる。
【００６４】
拡張ユニット３０ａ,３０ｂが上下に連通されることにより吹抜空間が形成されている。このため、間取りなどの都合により建物本体１５に吹抜空間を形成することができなくても、建物１０に吹抜空間を設けることができる。また、一階部分１１及び二階部分１２のそれぞれに屋外に通じる換気口が設けられている場合、それら換気口や吹抜空間により建物内空間の温度差換気を行うことができる。温度差換気においては、吹抜空間を通じて一階部分１１から二階部分１２に暖気が流れ込むことに伴って一階部分１１に外気が取り込まれるとともに二階部分１２から内気が屋外に放出されるという空気の流れが生じる。
【００６５】
（他の実施形態）
本発明は上記実施形態の記載内容に限定されず、例えば次のように実施してもよい。
【００６６】
（１）上記実施形態では、拡張ユニット３０ａ,３０ｂにおいて連通部７１により連通された空間を吹抜空間として利用したが、連通された空間をエレベータ昇降用の空間として利用してもよい。例えば、図６に示すように、建物１０にエレベータ装置９０が設けられている構成とする。
【００６７】
エレベータ装置９０は、人や物品を乗せることが可能なエレベータカゴ９１と、エレベータカゴ９１が昇降するエレベータ昇降路９２とを有している。エレベータ昇降路９２は、拡張ユニット３０ａ,３０ｂにおいて連通部７１により連通された空間に設けられており、上下階の境界部３２を貫通して一階部分１１と二階部分１２とに跨るように上下方向に延びている。エレベータカゴ９１は、エレベータ昇降路９２内に昇降可能に設置されている。また、エレベータ装置９０はエレベータカゴ９１を昇降させる昇降装置を有している。
【００６８】
一階部分１１及び二階部分１２には、エレベータカゴ９１に乗り降りする人が待機する場所としてエレベータホール９５,９６がそれぞれ設けられている。一階部分１１においてエレベータホール９５は下側拡張ユニット３０ａの内部空間に形成されており、上側入隅空間３８の下方（第２非重複部分３４ｂの下方）に配置されている。二階部分１２においてエレベータホール９６は上側拡張ユニット３０ｂの内部空間に形成されており、下側入隅空間３７の上方（第１非重複部分３４ａの上方）に配置されている。この場合、エレベータ昇降路９２にはエレベータホール９５,９６に通じる出入口が一階部分１１及び二階部分１２のそれぞれに形成されている。
【００６９】
上記の構成によれば、下側拡張ユニット３０ａと上側拡張ユニット３０ｂのうち上下に連通された空間を利用してエレベータ装置９０により人を一階部分１１と二階部分１２とに昇降させることができる。
【００７０】
（２）建物１０において下側拡張ユニット３０ａと上側拡張ユニット３０ｂとは下記のように配置されてもよい。
【００７１】
・下側拡張ユニット３０ａ及び上側拡張ユニット３０ｂの少なくとも一方が水平方向において複数の建物ユニット２０に跨るように設けられていてもよい。例えば、図７（ａ）に示すように、一階部分１１において横並びに配置された建物ユニット２０の境界部を跨ぐように下側拡張ユニット３０ａが設けられ、二階部分１２において横並びに配置された建物ユニット２０の境界部を跨ぐように上側拡張ユニット３０ｂが設けられている構成とする。この場合、拡張ユニット３０ａ，３０ｂは一階部分１１及び二階部分１２のそれぞれにおいて２つの建物ユニット２０と連結されており、それら建物ユニット２０により片持ちされている。
【００７２】
本構成によれば、上下に隣り合う建物ユニット２０同士の通気はもちろんのこと、上下で斜めに配置された（一階部分１１と二階部分１２とで上下に隣り合っていない）建物ユニット２０同士の通気を拡張ユニット３０ａ，３０ｂを通じて行うことができる。また、建物ユニット２０に対する拡張ユニット３０ａ，３０ｂの水平方向においての配置の自由度が高められるため、上側拡張ユニット３０ｂの下方の下側入隅空間３７や一階部分１１の屋内空間における採光環境を微調整することや、下側入隅空間３７や上側入隅空間３８の配置に関する自由度を高めることが可能となる。
【００７３】
・下側拡張ユニット３０ａ及び上側拡張ユニット３０ｂの少なくとも一方が上下階に跨るように設けられていてもよい。例えば、図７（ｂ）に示すように、下側拡張ユニット３０ａが上下階の境界部３２を跨ぐ状態で設けられている構成とする。この場合、下側拡張ユニット３０ａは一階部分１１及び二階部分１２の各建物ユニット２０とそれぞれ連結されており、それら建物ユニット２０により片持ちされている。この構成では、下側拡張ユニット３０ａの上方に形成された上側入隅空間３８の床面は二階部分１２の床面より高い位置（いわゆる１．５階）に配置されており、下側入隅空間３７の高さ寸法が一階部分１１の建物ユニット２０の高さ寸法より大きくされている。したがって、下側入隅空間３７及び上側入隅空間３８の利用に際しての自由度を高めることができる。例えば上側入隅空間３８を二階部分１２の建物ユニット２０に付属した収納場所として利用することや、下側入隅空間３７を長尺の物品を収納する収納場所として利用することができる。
【００７４】
・拡張ユニット３０ａ,３０ｂは、下側入隅空間３７及び上側入隅空間３８のいずれか一方が形成されるように配置されてもよい。例えば、図７（ｃ）に示すように、拡張ユニット３０ａ,３０ｂが上側拡張ユニット３０ｂの両側方に上側入隅空間３８が形成されるように配置されている構成とする。この構成では、上下階の境界部３２において下側拡張ユニット３０ａの両端部が上側拡張ユニット３０ｂより側方にはみ出している。この場合、下側拡張ユニット３０ａの長手方向の大梁長さは上側拡張ユニット３０ｂの長手方向の大梁長さより大きくなっている。この場合、下側入隅空間３７及び上側入隅空間３８の配置に関する自由度を設置の有無を含めて高めることができる。さらに、下側入隅空間３７や上側入隅空間３８の位置により建物ユニット２０の内部空間における採光環境を微調整することができる。
【００７５】
・下側拡張ユニット３０ａと上側拡張ユニット３０ｂとは、相対的に上側及び下側となるように左右に並べて配置されていてもよい。例えば、図７（ｄ）に示すように、下側拡張ユニット３０ａ及び上側拡張ユニット３０ｂのそれぞれが一階部分１１と二階部分１２とに跨るように設けられている。この構成では、拡張ユニット３０ａ，３０ｂが一階部分１１と二階部分１２との境界部周辺にて互いに重複するように配置されており、重複部分１０１の上方及び下方のそれぞれに非重複部分１０２が形成されている。また、拡張ユニット３０ａ，３０ｂは建物ユニット２０より高さ寸法（柱長さの寸法）が大きくなっている。
【００７６】
この場合、下側拡張ユニット３０ａと上側拡張ユニット３０ｂとが連続するユニット端面はそれら拡張ユニット３０ａ，３０ｂの境界線に沿って上下方向に延びている。拡張ユニット３０ａ，３０ｂにおける側面にはユニット端面に当たる部分に連通口がそれぞれ設けられており、それら連通口により下側拡張ユニット３０ａの内部空間と上側拡張ユニット３０ｂの内部空間とが連通されている。これにより、拡張ユニット３０ａ,３０ｂが左右に並べられている構成であっても、それら拡張ユニット３０ａ,３０ｂの屋内側及び屋外側に形成された各空間をそれぞれ好適に利用することができる。
【００７７】
（３）拡張ユニット３０ａ,３０ｂは構造体により下方から支持されていてもよい。例えば、下側拡張ユニット３０ａが基礎の上に載置されている構成とする。また、上側拡張ユニット３０ｂは、下側入隅空間３７において構造体としての柱体により下方から支持されている構成とする。
【００７８】
（４）拡張ユニット３０ａ,３０ｂは、上下に隣り合っている上階部分及び下階部分にそれぞれ設けられている以外に、１つの階に両方とも設けられていてもよい。
【００７９】
（５）拡張ユニット３０ａ,３０ｂを、建物ユニット２０ａ,２０ｂからユニット外方へ延びる一対の短辺側大梁と、その一対の大梁の先端部分に設けられる長辺側大梁とを有する構成としてもよい。この構成においては、一対の短辺側大梁とその先端部の長辺側大梁とは天井部分と床部分とにそれぞれ設けられており、それら天井側の大梁と床側の大梁との間に柱が適宜設けられている。また、拡張ユニット３０ａ,３０ｂにおいて小梁は、長辺側大梁と、建物ユニット２０ａ,２０ｂにおいて拡張ユニット３０ａ,３０ｂ側の大梁（天井大梁２２や床大梁２３）との間に架け渡されている。この場合でも、天井部や床部において小梁が設置されていない部分が天井小梁非設置部分や床小梁非設置部分となる。
【００８０】
（６）上側入隅空間３８は、上階部分に付属する屋外空間であればベランダやテラスとして利用されてもよい。また、下側入隅空間３７には、空調装置としての空調室外機やコージェネ機器などが設置されていてもよい。さらに、下側入隅空間３７は建物１０のエントランスとして利用されてもよい。例えば、下側入隅空間３７において下側建物ユニット２０ａ又は下側拡張ユニット３０ａの側面に玄関出入口が設けられている構成とする。
【００８１】
（７）拡張ユニット３０ａ,３０ｂの内部空間は、机を置くスペースや、物品を収納するスペースなどとして利用されてもよい。また、建物１０においては、拡張ユニット３０ａ,３０ｂの内部空間を含むキッチンが設けられていてもよい。
【００８２】
（８）一階部分１１及び二階部分１２において、拡張ユニット３０ａ,３０ｂにより形成された吹抜空間に換気扇などのファンが設けられていてもよい。この場合、ファンにより一階部分１１と二階部分１２との通気を強制的に行わせることができる。また、拡張ユニット３０ａ,３０ｂにおける吹抜空間部の壁部や天井部に窓部が設けられていてもよい。この場合、窓部の取り付け高さは、隣家や敷地内の建築物に合わせて設定されている。これにより、窓部を通じての通気量を好適に確保することができる。さらに、前記壁部や天井部には通気口が設けられていてもよい。
【００８３】
（９）建物本体１５の内部空間と拡張ユニット３０ａ,３０ｂの内部空間とが仕切材により仕切られていてもよい。例えば、拡張ユニット３０ａ,３０ｂの屋外側の側面にガラス板が設けられ、仕切材がガラス材により形成されている構成とする。この構成においては、拡張ユニット３０ａ,３０ｂを利用していわゆるダブルスキン構造が構築されている。これにより、建物本体１５の屋外側である拡張ユニット３０ａ,３０ｂにおいて通気や採光の調整を行うことが可能となる。
【符号の説明】
【００８４】
１０…建物、１５…建物本体、２０…建物ユニット、２０ａ…下階建物ユニットとしての下側建物ユニット、２０ｂ…上階建物ユニットとしての上側建物ユニット、２１…柱、２２…大梁としての天井大梁、２３…大梁としての床大梁、３０…拡張ユニット、３３…重複部分、３４ａ…非重複部分としての第１非重複部分、３４ｂ…非重複部分としての第２非重複部分、３７…入隅空間としての下側入隅空間、３８…入隅空間としての上側入隅空間、４１…柱、４２…天井大梁、４３…床大梁、４５…天井小梁、４６…床小梁、５１…天井小梁非設置部分、５２…床小梁非設置部分、１０１…重複部分、１０２…非重複部分。
【図１】
2011236712.tif 000003
【図２】
2011236712.tif 000004
【図３】
2011236712.tif 000005
【図４】
2011236712.tif 000006
【図５】
2011236712.tif 000007
【図６】
2011236712.tif 000008
【図７】
2011236712.tif 000009